(57)【要約】【課題】本考案はペットの排泄物収集器構造を提案するものである。【解決手段】主として収納ボックス、プレート、内・外伸縮バー、取っ手及び制御バーを含み、そのうち、前記収納ボックス及びプレートはそれぞれコの字型の固定台座の前、後縁にピボットして可動状態を呈し、プレートの下の縁にはブラシを取付け、前記外伸縮バーの両端はそれぞれ固定台座及び取っ手に接続して、外伸縮バー内には内伸縮バーを取付け、前記制御バーは取っ手内部に取付け、その上方にスプリングを取付け、前記内伸縮バーの尖端を制御バーに接続させ、下端はロープで前記プレートに接続してペットの排泄物収集器を構成し、使用する際収納ボックスを地面に平らに置き、制御バーを上向きに引きくとプレートが後方に振れてぺットの排泄物を収納ボックスに掃き入れることでペットの排泄物の始末を簡便にし、且つ伸縮バーの長さを調節する。【選択図】図１
0003137592.tif 000002
【実用新案登録請求の範囲】
【請求項１】
ペットの排泄物収集器構造であって、概ねコの字型となっている固定台座と、
固定台座の後縁にピボットし可動状態とした収納ボックスと、
固定座の前縁にピボットし可動状態として、その下の縁にブラシを取り付けたプレートと、
前端に突出した収納部を設け、その片側には収納部の内部に伸ばした押しボタンを取付け、前記押しボタンには係止板を取付けた取っ手と、
前記取っ手の収納部に取付け、その一端は取っ手に固定し、他端は取っ手の下方から外側に伸ばし、またその上方にはスプリングを取り付け、片側には溝を設けた制御バーと、
尖端が取っ手に接続され、尾端が前記固定台座に接続された外伸縮バーと、
外伸縮バー内部に取付け、その尖端が制御バーに接続され、尾端がロープで前記プレートに接続された内伸縮バーを含み、
前記部材の組合せによって、ペットの排泄物収集器を構成し、使用時に収納ボックスを地面に平らに置いて、制御バーを上向きに引くことで、プレートが後方に振れてブラシでもってペットの排泄物を収納ボックス内に掃き入れると共に、引き上げると収納ボックスが可動状態であるために、固定台座に沿ってプレートが垂れ下がって排泄物の落下を防止して、ペットの排泄物拾いを簡便にし、また外伸縮バーの長さが調節可能なので、どんな長さでも正常に作動することができ、異なる体型のユーザーにも適用できることを特徴とするペットの排泄物収集器構造。
【考案の詳細な説明】
【技術分野】
【０００１】
本考案はペットの排泄物収集器構造に関し、特にペットの排泄物を拾い上げるのに便利で、環境保護の目的も達せられ、また自由に伸縮して長さを調節でき、どんな長さでも正常に作動でき、異なった体型のユーザーにも適用できるペット排泄物収集器に関する。
【背景技術】
【０００２】
一般に猫、犬等のペットが外出する際、ペットは所構わず用便する習慣があるため、飼主は常に紙やビニール袋等の物を携えて、ペットの用便後その排泄物を紙で拾い上げてビニール袋に片付けているが、こうした方法では紙やビニール袋を携帯する必要があるので外出の際かなり面倒であり、またペットの用便後に腰を曲げたり、屈んだりして手で排泄物を拾い上げるのは、時間と労力を費やし両手が汚れるばかりでなく、腰を曲げたり、屈んだりが困難であったり或いはスカートを穿いていて屈むのに不便であったりする者は実際に困惑しており、また始末後の排泄物をビニール袋に入れて持ち歩くのも衛生上好ましくない。出願人はこうした点を考慮して、前項業務に長年従事した経験を踏まえて不断の研究実験を経て改良を加え、ペット排泄物を拾い上げるのに簡便で省力化され、且つ始末の際に両手を汚さずに衛生面にも適うようにと願うものである。
【考案の開示】
【考案が解決しようとする課題】
【０００３】
本考案の主な目的は、ペットの排泄物を拾い易くして環境保護並びに衛生面に適うという目的を果たし、且つ自由に伸縮させて長さを調節でき、どんな長さでも正常に作動でき、異なった体型のユーザーにも適用できるペットの排泄物収集器構造を提供することにある。
【課題を解決するための手段】
【０００４】
前記ペットの排泄物収集器構造は主として収納ボックス、プレート、内・外伸縮バー、取っ手及び制御バーを含み、そのうち、前記収納ボックス及びプレートはそれぞれコの字型の固定台座の前、後縁にピボットして可動状態を呈し、プレートの下の縁にはブラシを取付け、前記外伸縮バーの両端はそれぞれ固定台座及び取っ手に接続して、外伸縮バー内には内伸縮バーを取付け、前記制御バーは取っ手内部に取付け、その上方にスプリングを取付け、前記内伸縮バーの尖端を制御バーに接続させ、下端はロープで前記プレートに接続してペットの排泄物収集器を構成し、使用する際に収納ボックスを地面に平らに置き、制御バーを上向きに引くとプレートが後方に振れてぺットの排泄物を収納ボックスに掃き入れることでペットの排泄物の始末を簡便にし、腰を曲げたり、屈んだりするのが困難であったり、スカートを穿いていて屈むのに不便な者でも容易く使用でき、また外伸縮バーの長さを調節することにより、どんな長さでも正常に作動でき、異なった体型のユーザーにも適用できる。
【０００５】
前記ペットの排泄物収集器構造は、前記取っ手の片側にはその内部に伸ばした押しボタンを取付け、前記押しボタンの前端には係止板を取付け、前記制御バーには溝を設けて、外伸縮バーが長さを調節する際、押しボタンを押下して係止板を制御バーの溝に嵌め込んで、内伸縮バーを位置決めさせて伸縮の動作に便利なようにする。
【考案を実施するための最良の形態】
【０００６】
図１、図２並びに図３において、本考案では主に収納ボックス１、プレート２、取っ手３、制御バー４、外伸縮バー５及び内伸縮バー６を含み、そのうち収納ボックス１はヒンジ１１でコの字型の固定台座７の後縁にピボットして可動状態にする。
【０００７】
プレート２はヒンジ２１でコの字型の固定台座７の前縁にピボットして可動状態にしており、その下の縁にはブラシ２２を取付けている。
【０００８】
取っ手３は前端に突出した収納部３１を設け、その片側に内部へ伸ばした押しボタン３２を取付け、押しボタン３２の前端には係止板３３を取付ける。
【０００９】
制御バー４は取っ手３の収納部３１に取付け、その一端は取っ手３に固定し、他端は取っ手３の下方から外側に伸ばすと共に、その上方にはスプリング４１を取付け、その片側には溝４２を設ける。
【００１０】
外伸縮バー５は、その尖端は取っ手３に接続し、下端は固定台座７に接続する。
【００１１】
内伸縮バー６は外伸縮バー５内部に取付け、その尖端は制御バー４に接続し、下端はロープ６１でプレート２に接続する。
【００１２】
前記部材の組合せにより、ペットの排泄物収集器を構成し、使用の際に収納ボックス１を地面に平らに置き、制御バー４を上向きに引くとプレート２が後方に振れて、ブラシ２２でペットの排泄物を収納ボックス１内に掃き入れると共に、引き上げると収納ボックス１が可動状態であるため、固定台座７に沿って垂れ下がって排泄物の落下を防止し、ペットの排泄物を拾い上げるのに便利であり、腰を曲げたり、屈んだりするのが困難であったり、スカートを穿いていて屈むのに不便な者でも容易く使用でき、また外伸縮バーの長さを調節できることにより、どんな長さでも正常に作動でき、異なった体型のユーザーにも適用できる。
【００１３】
図４、図５において、本考案が使用される際、収納ボックス１を地面に置き平らにした状態にして、且つペットの排泄物を収納ボックス１の開口部に置くと、制御バー４を上向きに引くことによりプレート２が後方に振れて、その下の縁のブラシ２２がペットの排泄物を収納ボックス１内に掃き入れ、その後に収納ボックス１を引き上げると、収納ボックス１と固定台座７がヒンジ１１でピボットされて可動状態を呈することで、前記収納ボックス１は固定台座７に沿って開口部が上向きとなって垂れ下がって排泄物の落下を防止して、ペットの排泄物を拾うのを便利にし、また腰を曲げて手で拾い上げる必要がなく、環境保護と衛生面に適うという目的を果たす。
【００１４】
図６並びに図３では、本考案で長さを調節する際、押しボタン３２を押下して、係止板３３を制御バー４の溝４２に嵌め込んで、内伸縮バー６を位置決めさせて、伸縮の動作に便利なようにして、どんな長さでも正常に作動できる。
【００１５】
以上に述べた様に、本考案は可動の収納ボックスとプレートで長さの調節可能な伸縮バーとを合せて、ペットの排泄物収集器を構成し、ペットの排泄物を拾うのを便利にして環境保護と衛生面に適うという目的を果たし、また自由に伸縮して長さを調整でき、異なった体型のユーザーにも適用できるように実用設計としていることから斬新的な考案であり、そこで法に従って特許出願し、貴庁が審査を行うことで早期に特許を賜りたく願う次第である。
【図面の簡単な説明】
【００１６】
【図１】本考案の立体図である。
【図２】本考案の構造図である。
【図３】本考案の押しボタン及び制御バーの立体分解図である。
【図４】本考案の使用実施例図である。
【図５】本考案の使用実施例図である。
【図６】本考案の伸縮調整実施例図である。
【符号の説明】
【００１７】
１    収納ボックス
２    プレート
３    取っ手
４    制御バー
５    内伸縮バー
６    外伸縮バー
７    固定台座
１１  ヒンジ
２１  ヒンジ
２２  ブラシ
３１  収納部
３２  押しボタン
３３  係止板
４１  スプリング
４２  溝
６１  ロープ
【図１】
0003137592.tif 000003
【図２】
0003137592.tif 000004
【図３】
0003137592.tif 000005
【図４】
0003137592.tif 000006
【図５】
0003137592.tif 000007
【図６】
0003137592.tif 000008